(57)【要約】【課題】乗車前空調運転に使用できる使用許可電力に対してオーバーシュートすることなく、かつ空調の早期立ち上げが図れる車両用空調装置を提供する。【解決手段】乗車前空調（プレ空調）において、エアコンＥＣＵ５０は、使用許可電力と圧縮機２の消費電力との差に応じて圧縮機２の回転数を増減させるための回転数変化量を決定する。回転数変化量は、使用許可電力と圧縮機２の消費電力との差が大きいほど圧縮機２の回転数を増加するように決定され小さいほど圧縮機２の回転数を減少させるように決定されるものである。【選択図】図９
2011037428.tif 000002
【特許請求の範囲】
【請求項１】
サイクル（１）の冷媒流れを制御することにより乗員の乗車前に車室内を空調する乗車前空調を実施する車両用空調装置であって、
前記サイクルを循環する冷媒を吸入し吐出する圧縮機（２）と、
前記サイクルを循環する冷媒が蒸発して車室内への送風空気を冷却する冷却用熱交換器（８）と、
前記車両に蓄えられた電力及び前記乗車前空調時に外部から供給される電力の少なくとも一方のうち、前記乗車前空調に使用することが可能な使用許可電力の範囲内で前記圧縮機の作動を制御する制御装置（５０）と、を備え、
前記乗車前空調において、前記制御装置は、前記使用許可電力と前記圧縮機の消費電力との差に応じて前記圧縮機の回転数を増減させるための回転数変化量を決定し、前記回転数変化量は、前記使用許可電力と前記圧縮機の消費電力との差が大きいほど前記圧縮機の回転数を増加させるように決定され、小さいほど前記圧縮機の回転数を減少させるように決定されることを特徴とする車両用空調装置。
【請求項２】
前記乗車前空調は、前記サイクル（１）の冷媒流れが制御されることによる冷房サイクル運転によって実施され、
前記制御装置は、前記冷房サイクル運転による前記乗車前空調において、前記冷却用熱交換器の目標温度と実際の温度との差に応じて決定される前記回転数変化量と、前記使用許可電力と前記圧縮機の消費電力との差に応じて決定される前記回転数変化量とのうち、小さい方の前記回転数変化量を選択することを特徴とする請求項１に記載の車両用空調装置。
【請求項３】
前記乗車前空調は、前記サイクル（１）の冷媒流れが制御されることによる暖房サイクル運転によって実施され、
前記制御装置は、前記暖房サイクル運転による前記乗車前空調において、前記圧縮機から吐出された冷媒圧力の目標圧力と実際の圧力との差に応じて決定される前記回転数変化量と、前記使用許可電力と前記圧縮機の消費電力との差に応じて決定される前記回転数変化量とのうち、小さい方の前記回転数変化量を選択することを特徴とする請求項２に記載の車両用空調装置。
【請求項４】
前記制御装置は、前記使用許可電力と前記圧縮機の消費電力との差が所定値以下のときは、前記回転数変化量をマイナス値となるように決定することを特徴とする請求項１から請求項３のいずれか一項に記載の車両用空調装置。
【請求項５】
前記制御装置は、前記圧縮機から吐出された冷媒圧力が所定圧力以上になったとき、前記回転数変化量を低下させるように、または維持するように決定することを特徴とする請求項１から請求項４のいずれか一項に記載の車両用空調装置。
【請求項６】
さらに前記乗車前空調時に車両の窓曇りを除去する防曇モードを有し、
前記制御装置は、前記防曇モードが設定された前記乗車前空調時には、前記防曇モードを実施することを特徴とする請求項１から請求項５のいずれか一項に記載の車両用空調装置。
【請求項７】
前記制御装置は、前記乗車前空調終了後、所定時間以内である場合、または設定室内温度と車室内温度との差が所定温度以内である場合には、車両の窓曇りを除去する防曇モードを実施することを特徴とする請求項１から請求項５のいずれか一項に記載の車両用空調装置。
【請求項８】
サイクル（１）の冷媒流れを制御することにより乗員の乗車前に車室内を空調する乗車前空調を実施する車両用空調装置であって、
前記サイクルを循環する冷媒を吸入し吐出する圧縮機（２）と、
前記サイクルを循環する冷媒が蒸発して車室内への送風空気を冷却する冷却用熱交換器（８）と、
前記車両に蓄えられた電力及び前記乗車前空調時に外部から供給される電力の少なくとも一方のうち、前記乗車前空調に使用することが可能な使用許可電力の範囲内で前記圧縮機の作動を制御する制御装置（５０）と、を備え、
前記乗車前空調において、前記制御装置は、前記圧縮機から吐出された冷媒圧力が所定圧力以上になったとき、前記回転数変化量を低下させるように、または維持するように決定することを特徴とする車両用空調装置。
【請求項９】
サイクル（１）の冷媒流れを制御することにより乗員の乗車前に車室内を空調する乗車前空調を実施する車両用空調装置であって、
前記サイクルを循環する冷媒を吸入し吐出する圧縮機（２）と、
前記サイクルを循環する冷媒が蒸発して車室内への送風空気を冷却する冷却用熱交換器（８）と、
前記車両に蓄えられた電力及び前記乗車前空調時に外部から供給される電力の少なくとも一方のうち、前記乗車前空調に使用することが可能な使用許可電力の範囲内で前記圧縮機の作動を制御する制御装置（５０）と、を備え、
前記制御装置は、車両の窓曇りを除去する防曇モードが設定された場合には、前記乗車前空調時に前記防曇モードを実施することを特徴とする車両用空調装置。
【請求項１０】
サイクル（１）の冷媒流れを制御することにより乗員の乗車前に車室内を空調する乗車前空調を実施する車両用空調装置であって、
前記サイクルを循環する冷媒を吸入し吐出する圧縮機（２）と、
前記サイクルを循環する冷媒が蒸発して車室内への送風空気を冷却する冷却用熱交換器（８）と、
前記車両に蓄えられた電力及び前記乗車前空調時に外部から供給される電力の少なくとも一方のうち、前記乗車前空調に使用することが可能な使用許可電力の範囲内で前記圧縮機の作動を制御する制御装置（５０）と、を備え、
前記制御装置は、前記乗車前空調終了後、所定時間以内である場合、または設定室内温度と車室内温度との差が所定温度以内である場合には、車両の窓曇りを除去する防曇モードを実施することを特徴とする車両用空調装置。
【発明の詳細な説明】
【技術分野】
【０００１】
本発明は、車室内の空調を実施する車両用空調装置に関する。
【背景技術】
【０００２】
従来の車両用空調装置の一例として、ヒートポンプサイクルを用いた空調運転によって、乗車前の車室内空調（以下、単に「プレ空調」ともいう）を実施する技術が知られている（例えば、特許文献１参照）。
【０００３】
具体的には、当該車両用空調装置では、空調負荷に関連するパラメータ（目標吹出温度）に対応する圧縮機の回転数を求め、バッテリの残容量に対応する圧縮機の回転数を求め、これらを比較して小さい方を、圧縮機を駆動させる回転数として決定する。これにより、ある程度の空調能力で空調しつつ、消費電力を抑制することができるため、乗員の快適性とバッテリの消費電力の抑制とを両立することができる。
【先行技術文献】
【特許文献】
【０００４】
【特許文献１】特開２００７−７６５４４号公報
【発明の概要】
【発明が解決しようとする課題】
【０００５】
圧縮機の消費電力は、冷媒流量と圧縮機の回転数の両方に依存する。そして、冷媒流量が多いほど圧縮機に対する負荷が大きくなり消費電力も大きくなると共に、回転数が多いほど消費電力も大きくなる。
【０００６】
しかしながら、特許文献１に記載の車両用空調装置は、バッテリの残容量が少ない場合にはバッテリの残容量に対応した圧縮機の回転数が採用されることが多いが、前述のように実際の圧縮機の消費電力は、冷媒流量にも依存するため、圧縮機の回転数のみによっては適切に制御することができない。よって、従来技術のように圧縮機の回転数に基づく制御では、圧縮機の消費電力がバッテリの残容量をオーバーシュートしてしまうことがある。
【０００７】
一方、空調負荷が小さい場合には空調負荷に対応した圧縮機の回転数が採用されることが多く、バッテリの残容量に対して、圧縮機の回転数を十分に上げることができず圧縮機の消費電力を早く立ち上げることができず、プレ空調の立ち上がりが早くないという問題がある。
【０００８】
そこで、本発明は上記問題点に鑑みてなされたものであり、その目的は、乗車前空調運転に使用できる使用許可電力に対してオーバーシュートすることなく、かつ空調の早期立ち上げが図れる車両用空調装置を提供することである。
【課題を解決するための手段】
【０００９】
本発明は上記目的を達成するために以下の技術的手段を採用する。なお、特許請求の範囲および下記各手段に記載の括弧内の符号は、ひとつの態様として後述する実施形態に記載の具体的手段との対応関係を示す。
【００１０】
請求項１に記載の発明は、サイクル（１）の冷媒流れを制御することにより乗員の乗車前に車室内を空調する乗車前空調を実施する車両用空調装置に係る発明であって、サイクルを循環する冷媒を吸入し吐出する圧縮機（２）と、サイクルを循環する冷媒が蒸発して車室内への送風空気を冷却する冷却用熱交換器（８）と、車両に蓄えられた電力及び乗車前空調時に外部から供給される電力の少なくとも一方のうち、乗車前空調に使用することが可能な使用許可電力の範囲内で圧縮機の作動を制御する制御装置（５０）と、を備え、
乗車前空調において、制御装置は、使用許可電力と圧縮機の消費電力との差に応じて圧縮機の回転数を増減させるための回転数変化量を決定し、回転数変化量は、使用許可電力と圧縮機の消費電力との差が大きいほど圧縮機の回転数を増加させるように決定され、小さいほど圧縮機の回転数を減少させるように決定されることを特徴とする。
【００１１】
この発明によれば、乗車前空調においては、圧縮機の回転数変化量は当該使用許可電力と圧縮機の消費電力との差に応じて決定されるため、当該使用許可電力に対して同じパラメータである圧縮機の消費電力の占める割合を監視しながら圧縮機の回転数制御を実施することができる。これにより、算出される回転数に応じて圧縮機の制御を行う上記の従来技術と比較して、当該使用許可電力の範囲内で適切な電力利用が図れる圧縮機の制御を実現できる。さらに、圧縮機の回転数変化量は当該使用許可電力と当該消費電力の差が大きいほど圧縮機の回転数を増加するように決定するため、当該使用許可電力を十分に活用した回転数制御がなされて、乗車前空調運転を早期に立ち上げることができる。さらに、圧縮機の回転数変化量は当該使用許可電力と当該消費電力の差が小さいほど圧縮機の回転数を減少させるように決定するため、当該使用許可電力の残余分が小さいときには、圧縮機の回転数が抑えられて、消費電力が当該使用許可電力をオーバーシュートすることを抑制するとともに、当該使用許可電力を十分に活用することができ、立ち上がりが早い乗車前空調運転を実施できる。
【００１２】
請求項２に記載の発明では、請求項１において、乗車前空調は、サイクル（１）の冷媒流れが制御されることによる冷房サイクル運転によって実施され、制御装置は、冷房サイクル運転による乗車前空調において、冷却用熱交換器の目標温度と実際の温度との差に応じて決定される回転数変化量と、使用許可電力と圧縮機の消費電力との差に応じて決定される回転数変化量とのうち、小さい方の回転数変化量を選択することを特徴とする。
【００１３】
この発明によれば、冷房サイクル運転時には、冷却用熱交換器の目標温度に近づけようとするための回転数変化量と、使用許可電力範囲内で制御しようとする回転数変化量とのうち小さい方を採用するため、使用許可電力の超過防止及び早期の冷房空調の立ち上げと、フロスト防止とを両立する乗車前空調制御を提供することができる。
【００１４】
請求項３に記載の発明では、請求項２において、乗車前空調は、サイクル（１）の冷媒流れが制御されることによる暖房サイクル運転によって実施され、制御装置は、暖房サイクル運転による乗車前空調において、圧縮機から吐出された冷媒圧力の目標圧力と実際の圧力との差に応じて決定される回転数変化量と、使用許可電力と圧縮機の消費電力との差に応じて決定される回転数変化量とのうち、小さい方の回転数変化量を選択することを特徴とする。
【００１５】
この発明によれば、暖房サイクル運転時には、高圧側冷媒の目標圧力に近づけようとするための回転数変化量と、使用許可電力範囲内で制御しようとする回転数変化量とのうち小さい方を採用するため、使用許可電力の超過防止及び早期の暖房空調の立ち上げと、ヒートポンプサイクルの異常高圧の防止とを両立する乗車前空調制御を提供することができる。
【００１６】
請求項４に記載の発明では、請求項１から請求項３のいずれか一項において、制御装置は、使用許可電力と圧縮機の消費電力との差が所定値以下のときは、回転数変化量をマイナス値となるように決定することを特徴とする。この発明によれば、使用許可電力と圧縮機の消費電力との差が所定値以下のときは回転数変化量をマイナス値にするため、圧縮機の消費電力が使用許可電力に近づいてくると圧縮機の回転数を減少させる制御が実施される。これにより、使用許可電力よりも少し低い電力で圧縮機の消費電力が制御されるため、当該消費電力の使用許可電力に対するオーバーシュートを確実に抑制するとともに、フィードバック遅れや電力変動によるオーバーシュートに対しても高い抑制効果が期待できる。
【００１７】
請求項５に記載の発明では、請求項１から請求項４のいずれか一項において、制御装置は、圧縮機から吐出された冷媒圧力が所定圧力以上になったとき、回転数変化量を低下させるように、または維持するように決定することを特徴とする。
【００１８】
この発明によれば、乗車前空調時に高圧側の冷媒圧力が所定圧力以上になったときは回転数変化量を低下、または維持するように決定することにより、圧縮機の回転数が抑制される。このため、冷媒圧力が高くなって放熱を行う送風機の出力が増加するようになっても、当該送風機による消費電力の増加分を圧縮機の回転数抑制によって軽減して、空調関連機器全体の消費電力を抑制することができる。したがって、使用許可電力超過の防止に貢献する乗車前空調を実施できる。
【００１９】
請求項６に記載の発明では、請求項１から請求項５のいずれか一項において、さらに乗車前空調時に車両の窓曇りを除去する防曇モードを有し、制御装置は、防曇モードが設定された乗車前空調時には、防曇モードを実施することを特徴とする。
【００２０】
この発明によれば、上記各請求項１〜５の作用効果に加え、当該防曇モードを設定することによって乗車前空調時に防曇モードが実施されるため、ユーザーが乗車前空調実施時の状況に応じて、当該防曇モードを設定して窓曇り除去を優先することにより、ユーザーの要求に対応可能な車両用空調装置を提供できる。
【００２１】
請求項７に記載の発明では、請求項１から請求項５のいずれか一項において、制御装置は、乗車前空調終了後、所定時間以内である場合、または設定室内温度と車室内温度との差が所定温度以内である場合には、車両の窓曇りを除去する防曇モードを実施することを特徴とする。
【００２２】
この発明によれば、乗車前空調終了後、あまり時間が経過していない場合や室温が設定温度に近い場合には、当該防曇モードを実施することにより、上記各請求項１〜５の作用効果に加え、窓曇り除去を行って車両発進までの時間を短縮することができる。
【００２３】
請求項８に記載の発明は、サイクル（１）の冷媒流れを制御することにより乗員の乗車前に車室内を空調する乗車前空調を実施する車両用空調装置に係る発明であって、サイクルを循環する冷媒を吸入し吐出する圧縮機（２）と、サイクルを循環する冷媒が蒸発して車室内への送風空気を冷却する冷却用熱交換器（８）と、車両に蓄えられた電力及び乗車前空調時に外部から供給される電力の少なくとも一方のうち、乗車前空調に使用することが可能な使用許可電力の範囲内で圧縮機の作動を制御する制御装置（５０）と、を備え、
乗車前空調において、制御装置は、圧縮機から吐出された冷媒圧力が所定圧力以上になったとき、回転数変化量を低下させるように、または維持するように決定することを特徴とする。
【００２４】
この発明によれば、乗車前空調時に高圧側の冷媒圧力が所定圧力以上になったときは回転数変化量を低下、または維持するように決定することにより、圧縮機の回転数が抑制される。このため、冷媒圧力が高くなって放熱を行う送風機の出力が増加するようになっても、当該送風機による消費電力の増加分を圧縮機の回転数抑制によって軽減し、空調関連機器全体の消費電力を抑制することができる。したがって、使用許可電力超過の防止に貢献する乗車前空調を実施できる。
【００２５】
請求項９に記載の発明は、サイクル（１）の冷媒流れを制御することにより乗員の乗車前に車室内を空調する乗車前空調を実施する車両用空調装置に係る発明であって、サイクルを循環する冷媒を吸入し吐出する圧縮機（２）と、サイクルを循環する冷媒が蒸発して車室内への送風空気を冷却する冷却用熱交換器（８）と、車両に蓄えられた電力及び乗車前空調時に外部から供給される電力の少なくとも一方のうち、乗車前空調に使用することが可能な使用許可電力の範囲内で圧縮機の作動を制御する制御装置（５０）と、を備え、
制御装置は、車両の窓曇りを除去する防曇モードが設定された場合には、乗車前空調時に前記防曇モードを実施することを特徴とする。
【００２６】
この発明によれば、当該防曇モードを設定することによって乗車前空調時に防曇モードが実施されるため、ユーザーが乗車前空調実施時の状況に応じて、当該防曇モードを設定して窓曇り除去を優先することにより、ユーザーの要求に対応可能な車両用空調装置を提供でき、空調の早期立ち上げに寄与し得る。
【００２７】
請求項１０に記載の発明は、サイクル（１）の冷媒流れを制御することにより乗員の乗車前に車室内を空調する乗車前空調を実施する車両用空調装置に係る発明であって、サイクルを循環する冷媒を吸入し吐出する圧縮機（２）と、サイクルを循環する冷媒が蒸発して車室内への送風空気を冷却する冷却用熱交換器（８）と、車両に蓄えられた電力及び乗車前空調時に外部から供給される電力の少なくとも一方のうち、乗車前空調に使用することが可能な使用許可電力の範囲内で圧縮機の作動を制御する制御装置（５０）と、を備え、
制御装置は、乗車前空調終了後、所定時間以内である場合、または設定室内温度と車室内温度との差が所定温度以内である場合には、車両の窓曇りを除去する防曇モードを実施することを特徴とする。
【００２８】
この発明によれば、乗車前空調終了後、あまり時間が経過していない場合や室温が設定温度に近い場合には、当該防曇モードを実施することにより、窓曇り除去を行って車両発進までの時間を短縮することができるので、空調の早期立ち上げに寄与し得る。
【００２９】
なお、特許請求の範囲及び上記各手段に記載の括弧内の符号は、後述する実施形態に記載の具体的手段との対応関係を示す一例である。
【図面の簡単な説明】
【００３０】
【図１】本発明の第１実施形態の車両用空調装置１００の構成及びＣＯＯＬサイクル時の冷媒流れを説明するための模式図である。
【図２】車両用空調装置１００の構成及びＨＯＴサイクル時の冷媒流れを説明するための模式図である。
【図３】車両用空調装置１００の構成及びＤＲＹ  ＥＶＡサイクル時の冷媒流れを説明するための模式図である。
【図４】車両用空調装置１００の構成及びＤＲＹ  ＡＬＬサイクル時の冷媒流れを説明するための模式図である。
【図５】上記各サイクルにおいて各電磁弁１１〜１４及び三方弁４の動作状態を示す図表である。
【図６】車両用空調装置１００における制御構成を示すブロック図である。
【図７】車両用空調装置１００のエアコンＥＣＵ５０による基本的な空調制御処理を示したフローチャートである。
【図８】上記空調制御処理におけるサイクル・ＰＴＣ選択処理（ステップ６）の詳細を示すフローチャートである。
【図９】上記空調制御処理における圧縮機回転数等の決定を行う処理（ステップ１０）の一部を示すフローチャートである。
【図１０】図９のステップ１０００でΔｆＣを求めるための偏差Ｅnと偏差変化率ＥDOTとの関係を示すマップである。
【図１１】図９のステップ１０１０でΔｆＨを求めるための偏差Ｐｎと偏差変化率ＰDOTとの関係を示すマップである。
【図１２】第２実施形態において圧縮機回転数等の決定を行う処理（ステップ１０）の一部を示すフローチャートである。
【図１３】第３実施形態において圧縮機回転数等の決定を行う処理（ステップ１０）の一部を示すフローチャートである。
【図１４】第４実施形態において圧縮機回転数等の決定を行う処理（ステップ１０）の一部を示すフローチャートである。
【発明を実施するための形態】
【００３１】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合わせることも可能である。
【００３２】
（第１実施形態）
以下、本発明の第１実施形態について図１〜図１１を用いて詳細に説明する。第１実施形態は、蒸気圧縮式冷凍機をハイブリッド自動車用の空調装置に適用したものである。
【００３３】
ハイブリッド自動車は、ガソリン等の液体燃料を爆発燃焼させて動力を発生させる走行用内燃機関をなすエンジン３０、走行補助用電動機機能及び発電機機能を備える走行補助用の電動発電機、エンジン３０への燃料供給量や点火時期等を制御するエンジン用電子制御装置（以下、エンジンＥＣＵ６０ともいう）、電動発電機やエンジンＥＣＵ６０等に電力を供給する電池、電動発電機の制御及び無断変速機や電磁クラッチの制御を行うと共にエンジンＥＣＵ６０に制御信号を出力するハイブリッド電子制御装置（以下、ハイブリッドＥＣＵ７０ともいう）を備えている。ハイブリッドＥＣＵ７０は、電動発電機及びエンジン３０のいずれの駆動力を駆動輪に伝達するかの駆動切替を制御する機能、及び電池の充放電を制御する機能を備えている。
【００３４】
また電池は、車室内空調、走行等によって消費した電力を充電するための充電装置を備えており、例えばニッケル水素蓄電池、リチウムイオン電池等が用いられる。この充電装置は、電力供給源としての電気スタンドや商業用電源（家庭用電源）に接続されるコンセントを備えており、このコンセントに電源供給源を接続することにより、電池の充電を行うこともできる。
【００３５】
具体的には、以下のような制御を行う。
（１）車両が停止しているときは、基本的にエンジン３０を停止させる。
（２）走行中は、減速時を除き、エンジン３０で発生した駆動力を駆動輪に伝達する。なお、減速時は、エンジン３０を停止させて電動発電機にて発電して電池に充電する（電気走行モード）。
（３）発進時、加速時、登坂時及び高速走行時等の走行負荷が大きいときには、電動発電機を電動モータとして機能させてエンジン３０で発生した駆動力に加えて、電動発電機に発生した駆動力を駆動輪に伝達する（ハイブリッド走行モード）。
（４）電池の充電残量が充電開始目標値以下になったときには、エンジン３０の動力を電動発電機に伝達して電動発電機を発電機として作動させて電池の充電を行う。
（５）車両が停止しているときに電池の充電残量が充電開始目標値以下になったときには、エンジンＥＣＵ６０に対してエンジン３０を始動する指令を発するとともに、エンジン３０の動力を電動発電機に伝達する。
【００３６】
車両用空調装置１００は、乗員の乗車前に行われる車室内空調（以下、乗車前空調またはプレ空調という）運転が実施可能な空調装置である。車両のユーザーが、乗車前空調運転を行いたいときに携帯する携帯機５２を操作すると、エアコンＥＣＵ５０は、携帯機５２から送信される乗車前空調運転の命令信号を受信し、所定のプログラムによる演算を行って乗車前空調運転を実行するものである。
【００３７】
ユーザーは、車両に乗車しようとする前に車室内の空調環境を快適にしておくために、携帯機５２を操作して、通信局であるセンターを通じて車両の空調装置に対して乗車前空調運転の指令を送信する。この乗車前空調運転は、原則として、車両のイグニッションスイッチがＯＦＦ状態であること、あるいはエアコンＥＣＵ５０に対して乗員が乗車している信号が送信されていないことが許容条件となる。
【００３８】
図１は、車両用空調装置１００の構成及びＣＯＯＬサイクル（以下、冷房サイクルともいう）時の冷媒流れを説明するための模式図である。図２は、ＨＯＴサイクル（以下、暖房サイクルともいう）時の冷媒流れを説明するための模式図である。図３はＤＲＹ  ＥＶＡサイクル（以下、第１の除湿サイクルともいう）時の冷媒流れを説明するための模式図である。図４は、ＤＲＹ  ＡＬＬサイクル（以下、第２の除湿サイクルともいう）時の冷媒流れを説明するための模式図である。図５は、上記各サイクルにおいて各電磁弁１１〜１４及び三方弁４の動作状態を示す図表である。各サイクルにおいて、冷媒が流れる経路は太字実線で示し、冷媒が流れない経路は破線で示している。
【００３９】
車両用空調装置１００は、アキュムレータ式冷凍サイクルであるヒートポンプサイクル１を用いた装置であり、車室内に送風空気を導く空調ケース２０、この空調ケース２０内に空気を導入して車室内へ送る室内用ブロワ２１（室内用送風手段）、及びエンジンＥＣＵ６０に接続されたエアコン電子制御装置（以下、エアコンＥＣＵ５０ともいう）を備える。
【００４０】
室内用ブロワ２１は、ブロワケース（図示せず）、ファン、ブロワモータよりなり、このブロワモータへの印加電圧に応じて、ブロワモータの回転速度が決定される。ブロワモータへの印加電圧は、上記エアコンＥＣＵ５０からの制御信号に基づいて制御される。
【００４１】
室内用ブロワ２１のブロワケースには、車室内空気（内気）を導入する内気導入口（図示せず）と、車室外空気（外気）を導入する外気導入口（図示せず）とが形成されるとともに、内気導入口と外気導入口との開口割合を調節する内外気切替手段を成す内外気切替ドア（図示せず）が設けられている。
【００４２】
室内用ブロワ２１よりも送風空気の下流側における空調ケース２０内の通風路には、上流側から下流側に進むにしたがい順に、蒸発器８（冷却用熱交換器）、エアミックスドア２２、ヒータコア２３、凝縮器３（加熱用熱交換器）、ＰＴＣヒータ２４（電気式補助熱源）が配置されている。
【００４３】
空調ケース２０の下流端（図１の上方）は、車両のフロントウィンドウに向かって送風空気を吐出するデフロスタ吹出口（図示せず）、乗員の上半身に向かって送風空気を吐出するフェイス吹出口（図示せず）、乗員足元に向かって送風空気を吐出するフット吹出口（図示せず）に連絡されている。
【００４４】
蒸発器８は室内用ブロワ２１直後の通路全体を横断するように配置されており、室内用ブロワ２１から吹き出された空気全部が通過するようになっている。蒸発器８は冷房サイクル運転時や除湿サイクル運転時において内部を流れる冷媒の吸熱作用によって、送風空気を除湿したり冷却したりする冷却用熱交換器として機能する。
【００４５】
ヒータコア２３は少なくともその伝熱部分が空調ケース２０内の温風側通路のみに位置するように蒸発器８よりも送風空気の下流側に配置されている。ヒータコア２３は暖房サイクル運転時において、内部を流れるエンジン３０の冷却水の熱を利用して周囲の空気を加熱する熱交換器として機能する。
【００４６】
凝縮器３は、少なくともその伝熱部分が空調ケース２０内の温風側通路のみに位置して配置されており、ヒータコア２３よりもさらに送風空気の下流側に配置されている。凝縮器３は暖房サイクル運転時、除湿サイクル運転時および冷房サイクル運転時において内部を流れる冷媒の放熱作用によって温風側通路を流れる送風空気を加熱する加熱用熱交換器として機能する。
【００４７】
ＰＴＣヒータ(positive temperature coefficient)２４は、少なくともその伝熱部分が温風側通路のみに位置して設置されており、凝縮器３よりもさらに送風空気の下流側に配置されている。ＰＴＣヒータ２４は暖房サイクル運転や冷房サイクル運転において温風側通路を流れる送風空気を加熱する補助的な加熱手段である。ＰＴＣヒータ２４は、通電発熱素子部を備え、通電発熱素子部に通電されることによって発熱し、周囲の空気を暖めることができる。
【００４８】
この通電発熱素子部は、耐熱性を有する樹脂材料（例えば、６６ナイロンやポリブタジエンテレフタレートなど）で成形された樹脂枠の中に複数個のＰＴＣ素子を嵌め込むことにより構成したものである。また、ＰＴＣヒータ２４は、さらに通電発熱素子部からの発熱を伝達する熱交換フィン部を有してもよい。この熱交換フィン部は、アルミニウムの薄板を波形状に成形したコルゲートフィンと、このコルゲートフィンを一定の形状に保つとともにＰＴＣ素子や電極板との接触面積を確保するアルミニウムプレートと、をろう付け接合することにより構成したものである。
【００４９】
蒸発器８よりも下流側であってヒータコア２３や凝縮器３よりも上流側の通風路には、蒸発器８を通過した空気を、凝縮器３を通る空気と凝縮器３を迂回する空気とに分けたり、切り替えたりして、これらの空気の風量比率を調整できるエアミックスドア２２が設けられている。
【００５０】
エアミックスドア２２は、アクチュエータ等によりそのドア本体位置を変化させることで、空調ケース２０内の二分された通路である温風側通路および冷風側通路のそれぞれの一部または全部を塞ぐことができる。そして、エアミックスドア２２による温風側通路の開度は、温風側通路の横断方向の開口が開放される割合のことであり、０から１００％の範囲で調整可能である。また、エアミックスドア２２による冷風側通路の開度は、冷風側通路の横断方向の開口が開放される割合のことであり、０から１００％の範囲で調整可能である。
【００５１】
ヒートポンプサイクル１は、圧縮機２、凝縮器３、三方弁４、室外熱交換器５、第１膨張弁１０、第２膨張弁７、蒸発器８、アキュムレータ９、及び各電磁弁１１〜１４を備える。ヒートポンプサイクル１は、冷凍サイクル内を流れる冷媒（例えば、Ｒ１３４ａ、ＣＯ２等）の状態変化を利用することにより、冷房用の蒸発器８と暖房用の凝縮器３によって冷房、暖房および除湿を行うことができる。また、蒸発器８と凝縮器３とは、室外熱交換器５に対して、室内熱交換器を構成する。
【００５２】
冷房サイクル運転時の冷媒は、図１の太字実線の経路を白抜き矢印の向きに流れる。ヒートポンプサイクル１の冷房サイクルは、除湿能力が大きく、図１に示すように冷媒を吸入して吐出する圧縮機２と、圧縮機２から吐出された冷媒が流入する凝縮器３と、冷房サイクル運転時に凝縮器３から流入する冷媒が空気と熱交換して放熱する室外熱交換器５と、凝縮器３を流出した冷媒が室外熱交換器５に向かわせる三方弁４と、室外熱交換器５から蒸発器８への冷媒流れを制御するように設けられた電磁弁１１と、電磁弁１１によって開放された流路を通ってきた冷媒を減圧する第２膨張弁７と、第２膨張弁７で減圧された冷媒が蒸発して送風空気を冷却する蒸発器８と、冷媒を気液分離するアキュムレータ９と、を配管により環状に接続することにより形成されている。冷房サイクル運転経路は、圧縮機２→凝縮器３→三方弁４→室外熱交換器５→電磁弁１１→第２膨張弁７→蒸発器８→アキュムレータ９→圧縮機２となる。
【００５３】
このように冷房サイクル運転経路は、三方弁４を室外熱交換器５側の流路と連通するように切り替えることによって、冷房サイクル運転時に凝縮器３で送風空気と熱交換して冷却された冷媒が第１膨張弁１０を通らないで室外熱交換器５に流入し、電磁弁１１によって開放された流路を通り第２膨張弁７で減圧された後、蒸発器８に流入し、アキュムレータ９を経由して圧縮機２に吸入される経路である。冷房サイクル運転では、凝縮器として機能する室外熱交換器５から、熱が室外に放出され、蒸発器８から熱が吸収される。このとき、凝縮器３も発熱しているが、エアミックスドア２２の位置制御で、車室内空気との熱交換量を少なくすることができる。また、電磁弁１１と第２膨張弁７との間の通路には、逆流防止用の逆止弁１５が設けられている。
【００５４】
暖房サイクル運転時の冷媒は、図２の太字実線の経路を黒塗り矢印の向きに流れる。ヒートポンプサイクル１の暖房サイクルは、暖房性能が大であり、除湿能力無しの運転であり、図２に示すように圧縮機２と、暖房サイクル運転時に圧縮機２から吐出された冷媒と空気とを熱交換させて空気を加熱する凝縮器３と、暖房サイクル運転時に凝縮器３から流入した冷媒を減圧する減圧装置としての第１膨張弁１０と、第１膨張弁１０から室外熱交換器５への冷媒流れを制御するように設けられた電磁弁１４と、暖房サイクル運転時に第１膨張弁１０で減圧された冷媒を蒸発させる室外熱交換器５と、室外熱交換器５から圧縮機２への冷媒流れを制御するように設けられた電磁弁１２と、アキュムレータ９と、を配管により環状に接続することにより形成されている。暖房サイクル運転経路は、圧縮機２→凝縮器３→三方弁４→第１膨張弁１０→電磁弁１４→室外熱交換器５→電磁弁１２→アキュムレータ９→圧縮機２となる。また、電磁弁１２とアキュムレータ９との間の通路には、逆流防止用の逆止弁１６が設けられている。なお、室外空気が極めて低いときは、暖房サイクルによる暖房は効率が悪いので、冷房サイクルにてエンジン３０を稼動させ、エンジン冷却水（温水）の温度を上げて、ヒータコア２３の熱で車室内が暖房される。
【００５５】
第１の除湿サイクル運転時の冷媒は、図３の太字実線の経路を斜線太矢印の向きに流れる。ヒートポンプサイクル１の第１の除湿サイクルは、暖房性能が小、除湿能力が中レベルの運転であり、例えば、操作パネル５１の操作等により、暖房能力が小レベルで車室内の除湿を行うときに選択されて実行される。第１の除湿サイクルは、図３に示すように圧縮機２、凝縮器３、第１膨張弁１０、第１膨張弁１０から蒸発器８への冷媒流れを制御するように設けられた電磁弁１３、第１膨張弁１０で減圧された冷媒を蒸発させる蒸発器８、及びアキュムレータ９を配管により環状に接続することにより形成されている。第１の除湿サイクル運転経路は、圧縮機２→凝縮器３→三方弁４→第１膨張弁１０→電磁弁１３→蒸発器８→アキュムレータ９→圧縮機２となる。この第１の除湿サイクル運転経路は、第１膨張弁１０で減圧された冷媒が室外熱交換器５に流入しないで蒸発器８に流入して送風空気を冷却した後、アキュムレータ９を経由して圧縮機２に吸入される経路である。
【００５６】
第２の除湿サイクル運転時の冷媒は、図４の太字実線の経路を斜線太矢印の向きに流れる。ヒートポンプサイクル１の第２の除湿サイクルは、暖房性能が中レベル、除湿能力が小レベルの運転であり、例えば、操作パネル５１の操作等により、暖房能力が中レベルで車室内の除湿を行うときに選択されて実行される。第２の除湿サイクルは、図４に示すように第１の除湿サイクル運転経路に加え、第１膨張弁１０と電磁弁１３の間で分岐した冷媒経路を有する。この分岐する冷媒経路は、第１膨張弁１０と電磁弁１３の間の通路から電磁弁１４、室外熱交換器５及び電磁弁１２を通り、蒸発器８とアキュムレータ９の間の通路に合流するようになっている。これにより、第２の除湿サイクル運転経路は、圧縮機２→凝縮器３→三方弁４→第１膨張弁１０→電磁弁１３→蒸発器８→アキュムレータ９→圧縮機２の経路と、第１膨張弁１０→室外熱交換器５→電磁弁１２→アキュムレータ９の経路とで構成される。この第２の除湿サイクル運転経路は、第１膨張弁１０で減圧された冷媒が、室外熱交換器５に流入しないで蒸発器８に流入して送風空気を冷却した後、アキュムレータ９を経由して圧縮機２に吸入される経路と、室外熱交換器５に流入して空気から吸熱した後、アキュムレータ９を経由して圧縮機２に吸入される経路と、を有している。
【００５７】
圧縮機２は、内蔵された電動モータ２ａにより駆動され、回転数制御が可能であり、回転数に応じて冷媒吐出流量が可変である。圧縮機２はインバータ９０により周波数が調整された交流電圧が印加されてその電動モータ２ａの回転速度が制御される。インバータ９０は車載電池から直流電源の供給を受け、エアコンＥＣＵ５０により制御される。
【００５８】
室外熱交換器５は、エンジンコンパートメント等の車室外に配置されて、外気と冷媒との熱交換を行うもので、室外ファン６から強制的に送風を受けて暖房サイクル運転時には蒸発器として機能し、冷房サイクル運転時には凝縮器として機能する。
【００５９】
第１膨張弁１０は固定絞り等の固定式膨張弁（例えばキャピラリチューブ）、定圧式膨張弁、機械式膨張弁等で構成される。第１膨張弁１０は、暖房サイクル運転時に室外熱交換器５へ供給される冷媒を減圧膨脹する。第２膨張弁７は感温筒を備え、蒸発器８出口の冷媒の蒸発状態が適度な過熱度をもつように出口冷媒温度をフィードバックし適切な弁開度によって冷媒流量を制御する温度作動方式を採用している。暖房サイクル及び各除湿サイクルでは、第２膨張弁７で減圧された低圧冷媒を蒸発器８で吸熱して蒸発させ、蒸発器８を通過した冷媒をアキュムレータ９に流入させ、アキュムレータ９で蒸発器８の出口冷媒の気液を分離し、アキュムレータ９内のガス冷媒を圧縮機２に吸入させる。
【００６０】
蒸発器８は、送風空気を冷却する冷却用熱交換器であり、冷房サイクル運転時に蒸発器として機能する。この蒸発器８は、第２膨張弁７で減圧膨脹された低温低圧の冷媒と空気との熱交換を行うことにより、コア部を通過する空気を冷却する。
【００６１】
凝縮器３は、送風空気を加熱する加熱用熱交換器であり、空調ケース２０内で蒸発器８の下流（風下）に配設されて、圧縮機２で圧縮された高温高圧の冷媒と空気との熱交換を行うことにより、コア部を通過する空気を加熱する。ウォータポンプ３１は、エンジン冷却水が循環する回路に設けられ、エンジン冷却水から成る温水をヒータコア２３に供給する。このヒータコア２３は、凝縮器３と共に送風空気を加熱する加熱器として機能する。
【００６２】
エアミックスドア２２は、蒸発器８からの冷風と凝縮器３等（加熱器）との暖風との混合割合を制御する。アキュムレータ９は、冷凍サイクル内の過剰冷媒を一時蓄えると共に、気相冷媒のみを送り出して、圧縮機２に液冷媒が吸い込まれるのを防止する。
【００６３】
三方弁４、常開型の電磁弁１１、常閉型の電磁弁１２、常閉型の電磁弁１３、及び常開型の電磁弁１４は、流路切替手段であり、これらの上記各サイクルにおける動作状態は図５に示すとおりである。冷媒圧力センサ４０は、ヒートポンプサイクル１の高圧側の流路に設けられ、凝縮器３よりも上流の冷媒の高圧圧力、すなわち圧縮機２の吐出圧力Ｐreを検出する。
【００６４】
エアコンＥＣＵ５０は、車室内の空調運転を制御する制御装置であり、マイクロコンピュータと、車室内前面に設けられた操作パネル５１上の各種スイッチからの信号や、冷媒圧力センサ４０、内気センサ４１、外気センサ４２、日射センサ４３、蒸発器温度センサ４４等からセンサ信号が入力される入力回路と、各種アクチュエータに出力信号を送る出力回路と、を備えている。マイクロコンピュータは、ＲＯＭ（読み込み専用記憶装置）、ＲＡＭ（読み込み書き込み可能記憶装置）等のメモリおよびＣＰＵ（中央演算装置）等から構成されており、操作パネル５１等から送信された運転命令に基づいた演算に使用される各種プログラムを有している。
【００６５】
エアコンＥＣＵ５０は、上記の各サイクル運転時に、エアコン環境情報、エアコン運転条件情報及び車両環境情報を受信してこれらを演算し、圧縮機２の設定すべき容量を算出する。そして、エアコンＥＣＵ５０は、演算結果に基づいてインバータ９０に対して制御信号を出力し、インバータ９０によって圧縮機２の出力量は制御される。
【００６６】
このように乗員による操作パネル５１や携帯機５２の操作によって、空調装置の運転・停止および設定温度などの操作信号などがエアコンＥＣＵ５０に入力されて各種センサの検出信号が入力されると、エアコンＥＣＵ５０は、エンジンＥＣＵ６０、ハイブリッドＥＣＵ７０等と通信し、各種の演算結果に基づいて、圧縮機２、室内用ブロワ２１、室外ファン６、ＰＴＣヒータ２４、三方弁４、電磁弁１１〜１４、内外気切替ドア２５、吹出口切替ドア２６等の各機器の運転を制御する。
【００６７】
図７は、エアコンＥＣＵ５０による基本的な制御処理を示したフローチャートである。図７において、イグニッションスイッチが投入されてエアコンＥＣＵ５０に電源が供給されると制御がスタートする。以降の各ステップに係る処理は、エアコンＥＣＵ５０によって実行されるものである。
【００６８】
（プレ空調判定）
エアコンＥＣＵ５０は、上記の各種センサからの信号、操作パネル５１に設けられた各種操作部材からの信号、または遠隔操作可能な操作手段である携帯機５２からの信号等に基づいて、車室内を空調するように構成されている。車両が継続的に停止して乗員が搭乗していないときには、エアコンＥＣＵ５０は、上記携帯機５２からのプレ空調要求の有無、または予め設定されたプレ空調運転指令を監視している。
【００６９】
図７のステップ１では、携帯機５２からプレ空調要求があった場合、または予め送信入力された空調要求時刻に基づいてプレ空調を開始するタイミングとなった場合には、車両が停止状態であるか否かを判断するとともに、電源電力がプレ空調作動時の要求電力に対し大きいか否か判断する。車両が停止状態であり、電源電力がプレ空調要求電力より大きいことを確認したら、プレ空調の実施を許可するためにプレ空調フラグを立てる。
【００７０】
（イニシャライズ）
次に、ステップ２で図６のエアコンＥＣＵ５０内のＲＡＭ等の記憶されている各パラメータ等を初期化する。
【００７１】
（スイッチ信号読み込み）
次に、ステップ３で操作パネル５１等からのスイッチ信号等を読み込む。
【００７２】
（センサ信号読み込み）
次に、ステップ４で上記の各種センサからの信号を読み込む。
【００７３】
（ＴＡＯ算出基本制御）
次に、ステップ５で、ＲＯＭに記憶された下記の数式１を用いて、車室内に吹き出す空気の目標吹出温度ＴＡＯを算出する。
【００７４】
（数式１）
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ
ここで、Ｔｓｅｔは、温度設定スイッチにて設定された設定温度、Ｔｒは内気センサ４１にて検出された内気温度、Ｔａｍは外気センサ４２にて検出された外気温度、Ｔｓは日射センサ４３にて検出された日射量である。また、Ｋｓｅｔ，Ｋｒ，Ｋａｍ及びＫｓは各ゲインであり、Ｃは全体にかかる補正用の定数である。そして、このＴＡＯ及び上記各種センサからの信号により、エアミックスドア２２のアクチュエータの制御値及びウォータポンプ３１の回転数の制御値等を算出する。
【００７５】
（サイクル・ＰＴＣ選択）
次に、ステップ６で、運転すべきサイクルの選択及びＰＴＣヒータ２４の通電本数の選択を実行する。このステップ６は、具体的には、図８に基づいて実行する。図８は、図７のステップ６におけるサイクル・ＰＴＣ選択処理の詳細を示すフローチャートである。
【００７６】
図８に示すように、制御がスタートすると、ステップ６０でステップ１の処理結果としてプレ空調フラグが立っているか否かを判定する。プレ空調フラグが立っている場合は、ステップ６１にて、外気温が−３℃より低いか否かを判定する。
【００７７】
外気温が−３℃より低い場合は、ヒートポンプサイクル１による暖房の効率が悪くなり、かつ室外熱交換器５に着霜しやすくなるため、ステップ６３ａにてＰＴＣヒータ２４によるプレ空調を実施するのでＰＴＣヒータ２４に通電する。
【００７８】
外気温が−３℃以上の場合は、ステップ６２で自動運転での吹出口モードがフェイスモードか否かを判定する。フェイスモードの場合には、ヒートポンプサイクル１による暖房の必要なしと判断して、ステップ６３ｂで冷房サイクルによるプレ空調を実施する。
【００７９】
ステップ６２でフェイスモード以外であると判定すると、ステップ６３ｃで暖房サイクルによる暖房のプレ空調を実施する。なお、このときのプレ空調として、第１の除湿サイクル、または第２の除湿サイクルを実行してもよい。ステップ６０において、プレ空調フラグが立っておらず、プレ空調でないと判定された場合は、ステップ６４で外気温が−３℃より低いか否かを判定する。
【００８０】
外気温が−３℃より低い場合は、暖房サイクルによる暖房の効率が悪くなり、かつ、室外熱交換器５に着霜しやすくなるため、ステップ６６ａで冷房サイクルによる空調を実施する。なお、このときは、エンジン３０を稼動し、温水及びヒータコア２３の温度を上昇させるようにする。
【００８１】
ステップ６４で、外気温が−３℃以上であると判定された場合は、ステップ６５で自動運転での吹出口モードがフェイスモードか否かを判定する。フェイスモードである場合は、ヒートポンプサイクル１による暖房の必要なしと判断して、ステップ６６ｂで冷房サイクルでの空調を実施する。ステップ６５で、フェイスモードでないと判定された場合は、ヒートポンプサイクル１による暖房の必要有りと判断して、ステップ６６ｃで暖房サイクルでの空調を実施する。
【００８２】
なお、図３に示す第１の除湿サイクルまたは図４に示す第２の除湿サイクルは、暖房と除湿の必要度合に応じて、上述のステップ６３ｃ及び６６ｃの暖房サイクルでの運転のときに自動的に選択するようにしてもよい。
【００８３】
（ブロワ電圧決定）
次に、図７に示すステップ７において、ＲＯＭに記憶されたマップを用いて目標吹出温度ＴＡＯに対応するブロワ電圧を決定する。このブロワ電圧は、電池の電力により駆動される室内用ブロワ２１に印加される電圧である。このため、このマップは、電池の現在の充電量について、目標吹出温度ＴＡＯとブロワ電圧との関係を表した特性図である。このマップによれば、目標吹出温度ＴＡＯに対する適正なブロワ電圧を電池の充電量を考慮して決定することができる。
【００８４】
また、ブロワ電圧の決定は、プラグイン仕様により商用電源（１００Ｖまたは２００Ｖ）の電力を供給可能な車両においては、電池の充電量と商用電源の電力から得られる電力について目標吹出温度ＴＡＯとブロワ電圧との関係を表したマップを用いて実施される。
【００８５】
（吸込口モード決定）
次に、図７のステップ８で、ＲＯＭに記憶されたマップから、目標吹出温度ＴＡＯに対応する吸込口モードを決定する。具体的には、目標吹出温度ＴＡＯが高いときには、内気循環モードが選択され、目標吹出温度ＴＡＯが低いときには、外気導入モードが選択される。
【００８６】
（吹出口モード決定）
次に、図７のステップ９で、ＲＯＭに記憶されたマップから、目標吹出温度ＴＡＯに対応する吹出口モードを決定する。具体的には、目標吹出温度ＴＡＯが高いときには、フットモードが選択され、目標吹出温度ＴＡＯの低下に伴ってバイレベルモード、さらにはフェイスモードの順に選択される。
【００８７】
（圧縮機回転数等決定）
次に、図７のステップ１０で圧縮機回転数等の決定を実行する。このステップでは、空調運転に使用することが可能な使用許可電力と、圧縮機２の消費電力との差に基づいて、圧縮機回転数の増減量（回転数変化量）を決定すると共に、冷房サイクル運転時及び暖房サイクル運転時のそれぞれに対応する圧縮機２の回転数を決定する。ここでいう使用許可電力は、プラグイン仕様により車両に供給される商用電源の電力量及び電池の充電量の少なくとも一方から求められる当該使用許可電力であり、空調運転に使用できる使用電力の制限を示している。また、当該使用許可電力は、電池から供給可能な電力またはプラグインにより供給される商用電源（１００Ｖまたは２００Ｖ）の電力の中から空調運転用に割り当てることができる電力であってもよい。使用許可電力に含まれる電池の充電量は、電池の端子間を短絡させて電流を流し内部抵抗を計測することにより求めるようにしてもよいし、充電及び放電の電流値と時間を用いた演算により求めるようにしてもよい。
【００８８】
圧縮機２の消費電力は、ステップ１０で求められた圧縮機回転数に伴う現状の圧縮機２の消費電力であり、インバータ９０による計測または所定の演算による算出によって求められる実際の消費電力である。
【００８９】
このようにして、エアコンＥＣＵ５０は、車両に蓄えられた電力の一例である電池の電力及びプレ空調時に外部から供給される電力の一例である商用電源の少なくとも一方のうち、プレ空調に使用することが可能な使用許可電力の範囲内で圧縮機２の作動を制御するものである。
【００９０】
図９は、図７のステップ１０における圧縮機回転数等の決定を行うステップの一部を説明するフローチャートである。なお、このステップの一部とは、冷房サイクル運転時及び暖房サイクル運転時の圧縮機回転数の決定のステップを示したものということである。その他のサイクルにおける圧縮機回転数の決定は、周知の方法を採用するものとし、ここでは説明を省略する。
【００９１】
まず、エアコンＥＣＵ５０は、まずステップ１０００において、各種センサの検出信号を用いて算出した目標蒸発器温度ＴＥＯと、実際の蒸発器温度ＴＥ（蒸発器温度センサ４４によって検出される温度）との温度偏差Ｅnを以下の数式２を用いて演算する。
【００９２】
（数式２）
Ｅn＝ＴＥＯ−ＴＥ
さらに、以下の数式３を用いて偏差変化率ＥDOTを演算する。
【００９３】
（数式３）
ＥDOT＝Ｅn−Ｅn-1
ここで、Ｅnは１秒に１回更新されるため、Ｅn-1はＥnに対して１秒前の値となる。
【００９４】
さらに、エアコンＥＣＵ５０は、算出したＥn及びＥDOTと、図１０に示すマップとを用いて、１秒前の電動モータ２ａの「冷房サイクル時の回転数変化量ΔｆＣ」を算出する。この冷房サイクル時の回転数変化量ΔｆＣは、冷房サイクル時の熱交換器のフロスト防止に貢献する値である。図１０に示すマップは、偏差Ｅnと偏差変化率ＥDOTとの関係を示すマップであり、予めＲＯＭに記憶されている。なお、この温度偏差Ｅn及び偏差変化率ＥDOTにおける回転数変化量ΔｆＣは、ＲＯＭに記憶された所定のメンバーシップ関数及びルールに基づいて、ファジー制御にて求めるようにしてもよい。
【００９５】
次にステップ１０１０では、目標圧力ＰDO、高圧圧力Ｐre（Ｐreは冷媒圧力センサ４０にて測定した高圧圧力）、偏差Ｐn、偏差変化率ＰDOTを用いて、圧縮機の回転数変化量を求める。なお、Ｐn-1は、偏差Ｐnの先回の値であり、ｎは自然数である。
【００９６】
まず、ヒートポンプサイクル１による暖房サイクル運転時において、図９のステップ１０１０において、図７のステップ５で求められた目標吹出温度ＴＡＯを、冷凍サイクルの高圧側を流れる冷媒の目標圧力ＰDO（以下、単にＰDOともいう）に変換する。この変換は、周知の方法を用いればよく、目標吹出温度ＴＡＯを変換用マップでＰDOに変換してもよい。
【００９７】
また、目標吹出温度ＴＡＯと、室内用ブロワ２１の風量Ｖによって異なる温度効率φと、凝縮器３の吸入側空気温度とから飽和冷媒温度Ｔｃを求め、この飽和冷媒温度Ｔｃと飽和圧力Ｐｃ（凝縮器３の凝縮圧力）との関係に基づいて、上記飽和冷媒温度Ｔｃに対応する飽和圧力Ｐｃを求めて、この飽和圧力Ｐｃを目標圧力ＰDOとしてもよい。
【００９８】
次に、目標圧力ＰDOと、冷媒圧力センサ４０にて検出された高圧圧力Ｐreとの圧力偏差Ｐnを下記数式４によって算出する。
【００９９】
（数式４）
Ｐn＝ＰDO−Ｐre
また、偏差変化率ＰDOTを下記数式５によって算出する。
【０１００】
（数式５）
ＰDOT＝Ｐn−Ｐn-1
上述したように、Ｐn-1は、偏差Ｐｎの先回の値である。
【０１０１】
図１１は、圧力偏差Ｐnと、偏差変化率ＰDOTと、回転数変更分ΔｆＨとの関係を示すマップである。次に、このＰnとＰDOTとを用いて、エアコンＥＣＵ５０のＲＯＭに記憶された図１１に示すマップを用いて１秒前の圧縮機回転数ｆn-1に対して，増減する回転数変更分ΔｆＨを求める。なお、この圧力偏差Ｐn及び偏差変化率ＰDOTにおける回転数変更分ΔｆＨは、ＲＯＭに記憶された所定のメンバーシップ関数及び所定のルールに基づいて、ファジー制御にて求めることもできる。
【０１０２】
次に、ステップ１０２０でプレ空調と判定されたか否かまたはプレ空調中であるか否かを判定する。プレ空調でない場合は、以下に説明する通常の演算処理により圧縮機回転数が算出されることになる。そしてステップ１０４０で、前述のステップ６で選択されたサイクルが冷房サイクルであるか否かを判定する。冷房サイクルである場合は、ステップ１０４１において圧縮機の回転数変化量Δｆをステップ１０００で算出した「冷房サイクル時の回転数変化量ΔｆＣ」に決定しこれをＲＡＭに書き込む。さらに、ステップ１０４１で決定したΔｆ（＝ΔｆＣ）と前回の圧縮機回転数とを足し算して「今回の圧縮機回転数」を算出し（ステップ１０６０）、プレ空調でない冷房サイクル運転時の圧縮機回転数が求められる。
【０１０３】
また、冷房サイクルでなく暖房サイクルである場合は、ステップ１０４２において圧縮機の回転数変化量Δｆをステップ１０１０で算出した「暖房サイクル時の回転数変化量ΔｆＨ」に決定しこれをＲＡＭに書き込む。さらに、ステップ１０４２で決定したΔｆ（＝ΔｆＨ）と前回の圧縮機回転数とを足し算して「今回の圧縮機回転数」を算出し（ステップ１０６０）、プレ空調でない暖房サイクル運転時の圧縮機回転数が求められる。
【０１０４】
次に、プレ空調における圧縮機回転数の特有の演算処理について説明する。ステップ１０２０でプレ空調と判定された場合は、次にステップ１０３０で、上記の使用許可電力と圧縮機２の消費電力との差（以下、単に「第１の残余電力」ともいう）に応じて圧縮機回転数の変化量ΔｆＰre[rpm]を算出する。この圧縮機回転数の変化量ΔｆＰreは、車両がもっている使用許可電力をオーバーしないように有効に活用するために求めたパラメータである。
【０１０５】
圧縮機回転数の変化量ΔｆＰreの算出は、当該第１の残余電力に対応する関数として表されるΔｆＰreのマップ（図９のステップ１０３０に図示するマップ）を用いて算出される。第１の残余電力とΔｆＰreは比例関係にあり、この第１の残余電力の値が小さいほど、ΔｆＰreは小さくなり、第１の残余電力が所定値以下の場合はΔｆＰreがマイナス値になるため、圧縮機２の回転数が前回よりも低減するように制御されることになる。すなわち、第１の残余電力が所定値以下になると、ΔｆＰreがマイナス値になり、圧縮機の回転数は下がるように制御されることになる。本実施形態においては当該所定値は、２００〜３００Ｗの範囲に設定されている。
【０１０６】
なお、ステップ１０３０に図示するマップは予めＲＯＭに記憶されており、このマップから算出されたΔｆＰreはＲＡＭに書き込まれる。このステップ１０３０の算出処理は１秒に１回更新される。
【０１０７】
次にステップ１０５０で、前述のステップ６で選択されたサイクルが冷房サイクルであるか否かを判定する。冷房サイクルである場合は、ステップ１０００で算出したΔｆＣと、ステップ１０３０で算出したΔｆＰreとを比較し、このうち小さい値の方を圧縮機の回転数変化量Δｆに決定する（ステップ１０５１）。そして、このΔｆと前回の圧縮機回転数とを足し算して「今回の圧縮機回転数」を算出し（ステップ１０６０）、プレ空調かつ冷房サイクル運転時の圧縮機回転数が求められる。
【０１０８】
また、冷房サイクルでなく暖房サイクルである場合は、ステップ１０１０で算出したΔｆＨと、ステップ１０３０で算出したΔｆＰreとを比較し、このうち小さい値の方を圧縮機の回転数変化量Δｆに決定する。そして、このΔｆと前回の圧縮機回転数とを足し算して「今回の圧縮機回転数」を算出し（ステップ１０６０）、プレ空調かつ暖房サイクル運転時の圧縮機回転数が求められる。
【０１０９】
このようにステップ１０（圧縮機回転数等の決定処理）では、冷房サイクル運転時にはステップ１０５１でΔｆＰreとΔｆＣの小さい方を選択するため、使用許可電力の超過防止と共にフロスト防止を両立する制御を実施することができる。さらに、暖房サイクル運転時にはステップ１０５２でΔｆＰreとΔｆＨの小さい方を選択するため、使用許可電力超過の防止と共にヒートポンプサイクル１の異常高圧の防止を両立する制御を実施することができる。
【０１１０】
（ＰＴＣ・デフォッガの作動決定）
次に、図７のステップ１１でＰＴＣ・デフォッガの作動決定を実行する。このステップでは、前述した圧縮機回転数等の決定（ステップ１０）におけるステップ１０３０と同様に、空調運転に使用することが可能な使用許可電力と圧縮機２の消費電力との差（第１の残余電力）に基づいて、ＰＴＣヒータ２４またはデフォッガに通電するか否かを決定するものである。
【０１１１】
ここでデフォッガは、電気抵抗体の一例であり、車両のフロントウィンドウ等に熱線抵抗体を装着してなる熱線式ウィンドウデフォッガである。デフォッガは、電池等からの電力が供給されて通電することにより、通電量や印加電圧に応じて発熱し窓曇り除去に貢献する。デフォッガの作動は、エアコンＥＣＵ５０によって制御される。
【０１１２】
このステップでは、第１の残余電力に余裕があるときは、ＰＴＣヒータ２４またはデフォッガに通電することにより、使用許可電力の範囲内で窓の防曇効果が得られる空調制御を実施する。このため、乗員が乗車後に窓曇りを除去する時間の短縮が図れ、車両発進までの周囲環境へ騒音を与える時間を短縮することができる。
【０１１３】
（各弁ＯＮ／ＯＦＦ決定）
次に、図７のステップ１２において、所定の各サイクルで制御が実行できるよう、サイクル中の三方弁４及び電磁弁１１〜１４のＯＮまたはＯＦＦ作動について決定する。この制御では、図５に示した各サイクルに対応する各弁の動作状態となるように、各弁の作動をオン、オフする出力信号を決定する。
【０１１４】
（制御信号出力）
次に、図７のステップ１３において、上記各ステップ１〜１２で算出または決定された各制御状態が得られるように、エンジンＥＣＵ６０、インバータ９０、ＰＴＣヒータ２４、各種アクチュエータ、三方弁４及び電磁弁１１〜１４等に対して制御信号を出力する。そして、図７のステップ１４において所定時間の経過を待って、ステップ３に戻り、継続して各ステップが実行される。
【０１１５】
本実施形態の車両用空調装置１００がもたらす効果を以下に述べる。車両用空調装置１００は、ヒートポンプサイクル１の冷媒流れを制御することにより実施される冷房サイクル運転及び暖房サイクル運転によって、乗員の乗車前に車室内を空調する。プレ空調において、エアコンＥＣＵ５０は、使用許可電力と圧縮機２の消費電力との差（第１の残余電力）に応じて圧縮機２の回転数を増減させるための回転数変化量を決定する（ステップ１０３０，１０５１，１０５２，１０６０）。回転数変化量は、使用許可電力と圧縮機２の消費電力との差が大きいほど圧縮機２の回転数を増加するように決定され小さいほど圧縮機２の回転数を減少させるように決定されるものである（ステップ１０３０）。
【０１１６】
これによれば、プレ空調においては、圧縮機２の回転数変化量は第１の残余電力に応じて決定されるため、当該使用許可電力に対して同じパラメータである圧縮機２の消費電力の占める割合を監視しつつ、正確な圧縮機２の回転数制御を実施することができる。これにより、上記従来の回転数に応じた圧縮機２の制御と比較して、当該使用許可電力の範囲内で電力利用が図れる適切な圧縮機２の制御を実現できる。
【０１１７】
さらに、圧縮機２の回転数変化量は当該使用許可電力と当該消費電力の差が大きいほど圧縮機２の回転数を増加するように決定するため、当該使用許可電力を十分に活用することができ、プレ空調運転を早期に立ち上げ、ユーザーにとって有用なプレ空調を実施できる。さらに、圧縮機２の回転数変化量は当該使用許可電力と当該消費電力の差が小さいほど圧縮機２の回転数を減少させるように決定するため、当該使用許可電力の残余分が小さいときには、圧縮機２の回転数が抑えられて、当該使用許可電力に対する消費電力のオーバーシュートや電力応答遅れによる消費電力のオーバーシュートを抑制することができる。
【０１１８】
また、エアコンＥＣＵ５０は、冷房サイクル運転によるプレ空調において、蒸発器８の目標温度ＴＥＯと実際の温度ＴＥとの差に応じて決定される回転数変化量と、使用許可電力と圧縮機２の消費電力との差（第１の残余電力）に応じて決定される回転数変化量とのうち、小さい方の回転数変化量を選択するものである（ステップ１０５１）。
【０１１９】
これによれば、冷房サイクル運転時には、蒸発器８の目標温度ＴＥＯに近づけようとするための回転数変化量と、使用許可電力範囲内で制御しようとする回転数変化量とのうち小さい方を採用するため、使用許可電力の超過防止及び早期の冷房空調の立ち上げと、フロスト防止とを両立することができる。
【０１２０】
また、エアコンＥＣＵ５０は、暖房サイクル運転によるプレ空調において、圧縮機２から吐出された冷媒圧力の目標圧力ＰDOと実際の圧力Ｐreとの差に応じて決定される回転数変化量と、使用許可電力と圧縮機２の消費電力との差（第１の残余電力）に応じて決定される回転数変化量とのうち、小さい方の回転数変化量を選択するものである（ステップ１０５２）。
【０１２１】
これによれば、暖房サイクル運転時には、高圧側冷媒の目標圧力ＰDOに近づけようとするための回転数変化量と、使用許可電力範囲内で制御しようとする回転数変化量とのうち小さい方を採用するため、使用許可電力の超過防止及び早期の暖房空調の立ち上げと、ヒートポンプサイクルの異常高圧の防止とを両立することができる。
【０１２２】
また、エアコンＥＣＵ５０は、使用許可電力と圧縮機２の消費電力との差（第１の残余電力）が所定値以下のときは、回転数変化量をマイナス値となるように決定するものである（ステップ１０３０）。これによれば、使用許可電力と圧縮機２の消費電力との差が所定値以下のときは回転数変化量をマイナス値にするため、圧縮機２の消費電力が使用許可電力に近づいてくると圧縮機２の回転数を減少させる制御が実施される。これにより、使用許可電力よりも少し低い電力で圧縮機２の消費電力が制御されるため、当該消費電力の使用許可電力に対するオーバーシュートを確実に抑制するとともに、電力応答遅れや電力変動によるオーバーシュートに対しても高い抑制効果が得られる。
【０１２３】
また、運転の過渡期から定常に遷移するときに圧縮機２の回転数のオーバーシュートが発生した場合であっても、車両の使用許可電力の超過を防止することができる。また、室外ファン６や室内用ブロワ２１の稼働率に変化があった場合でも、車両の使用許可電力の超過量やその時間を軽減することができる。
【０１２４】
（第２実施形態）
第２実施形態では、第１実施形態に対して、空調制御メインルーチンにおける圧縮機回転数決定の変形例を図１２にしたがって説明する。このステップにおいても、第１実施形態と同様に、上記使用許可電力と圧縮機２の消費電力との差に基づいて、圧縮機回転数の増減量（回転数変化量）を決定すると共に、冷房サイクル運転時及び暖房サイクル運転時のそれぞれに対応する圧縮機２の回転数を決定する。
【０１２５】
図１２は、図７のステップ１０における圧縮機回転数等の決定を行うステップの一部を説明するフローチャートである。なお、このステップの一部とは、冷房サイクル運転時及び暖房サイクル運転時の圧縮機回転数の決定のステップを示したものということである。その他のサイクルにおける圧縮機回転数の決定は、周知の方法を採用するものとし、ここでは説明を省略する。
【０１２６】
本実施形態における制御の処理フローは、第１実施形態で図９にしたがって説明した空調制御の処理フローに対して、ステップ１０３０のΔｆＰreの決定後に、図１２のステップ１０３１のΔｆＰの決定を実行し、さらにステップ１０５１ＡのようにΔｆを決定する点が異なっている。その他のステップは第１実施形態と同様である。なお、その他の各構成部品及びこれらの作動、他の制御処理手順については、第１実施形態と同様である。
【０１２７】
図１２に示すように、まず、エアコンＥＣＵ５０は、前述のステップ１０３０でΔｆＰreの決定した後、次にステップ１０３１で、高圧側の冷媒圧力Ｐreに応じて「圧縮機回転数の変化量ΔｆＰ[rpm]」を算出する。この圧縮機回転数の変化量ΔｆＰは、室外ファン６の出力増加を抑制するために求めるパラメータである。通常、冷媒圧力が高くなると、室外ファン６の風量を増加して放熱量等を向上させる制御が行われる。このときにステップ１０３１においてΔｆＰを小さく決定することにより、ステップ１０６０Ａにおいて圧縮機２の回転数が低減するように制御される。したがって、冷媒圧力の上昇が抑制されて室外ファン６の出力量が増加することが抑えられるので、使用許可電力を急に超えてしまうことを防止できるようになる。
【０１２８】
圧縮機回転数の変化量ΔｆＰの算出は、当該冷媒圧力に対応する関数として表されるΔｆＰのマップ（図１２のステップ１０３１に図示するマップ）を用いて算出される。当該冷媒圧力が第１の所定圧力（例えば１．４[MPa]）以上になったときにΔｆＰは低下するように決定され、当該冷媒圧力が第２の所定圧力（例えば１．７[MPa]）以上になったときにΔｆＰは維持されるように一定値に決定されるものである。また、冷媒圧力の値が１．４〜１．７[MPa]の範囲では圧力が増加するほど、ΔｆＰは小さくなり、第３の所定圧力以上の場合はΔｆＰがマイナス値になるため、圧縮機２の回転数が前回よりも低減するように制御されることになる。すなわち、冷媒圧力が第３の所定圧力以上になると、ΔｆＰがマイナス値になり、圧縮機の回転数は下がるように制御されることになる。本実施形態においては当該第３の所定圧力値は、１．６〜１．７[MPa]の範囲に設定されている。
【０１２９】
なお、ステップ１０３１に図示するマップは予めＲＯＭに記憶されており、このマップから算出されたΔｆＰはＲＡＭに書き込まれる。このステップ１０３１の算出処理は１秒に１回更新される。
【０１３０】
次にステップ１０５０で、前述のステップ６で選択されたサイクルが冷房サイクルであると判定された場合は、ステップ１０００で算出したΔｆＣと、ステップ１０３０で算出したΔｆＰreと、ステップ１０３１で算出したΔｆＰとを比較し、このうち小さい値の方を圧縮機の回転数変化量Δｆに決定する（ステップ１０５１Ａ）。そして、このΔｆと前回の圧縮機回転数とを足し算して「今回の圧縮機回転数」を算出し（ステップ１０６０）、プレ空調かつ冷房サイクル運転時の圧縮機回転数が求められる。
【０１３１】
本実施形態の車両用空調装置１００がもたらす効果を以下に述べる。車両用空調装置１００のエアコンＥＣＵ５０は、圧縮機２から吐出された冷媒圧力Ｐreが所定圧力以上になったとき、回転数変化量を低下させるように、または維持するように決定するものである。
【０１３２】
これによれば、プレ空調時に高圧側の冷媒圧力Ｐreが所定圧力以上になったときは回転数変化量を低下、または維持するように決定することにより、圧縮機２の回転数が抑制される。このため、冷媒圧力が高くなって放熱を行う室外ファン６の出力が増加するようになっても、圧縮機２の回転数の上昇を抑えることにより室外ファン６による消費電力の増加分を軽減し、空調関連機器全体の消費電力を抑制することができる。つまり、使用電力が限られているプレ空調時に室外ファン６の稼働率が上昇すると、一気に使用許可電力を超過してしまうことを防止できるのである。
【０１３３】
また、第２実施形態の本制御が第１実施形態の制御に加えて実施されることにより、使用許可電力超過の防止について、上記第１実施形態に記載の作用効果と合わせて二重の安全性を発揮することができる。
【０１３４】
また、本制御は、室外ファン６のＨｉ、Ｌｏを切り換える冷媒圧力、または機器保護状の上限圧力に近づいた場合に、圧縮機２の回転数を低下させることにより、使用許可電力の超過を防止するようにしてもよい。
【０１３５】
（第３実施形態）
第３実施形態では、第１実施形態に対して、空調制御メインルーチンにおける圧縮機回転数決定の変形例を図１３にしたがって説明する。このステップにおいても、第１実施形態と同様に、上記使用許可電力と圧縮機２の消費電力との差（第１の残余電力）に基づいて、圧縮機回転数の増減量（回転数変化量）を決定すると共に、冷房サイクル運転時及び暖房サイクル運転時のそれぞれに対応する圧縮機２の回転数を決定する。ただし、後述するステップ１０２２でデフォッガが作動された場合は、第１の残余電力からさらにデフォッガの消費電力を差し引いた値を第２の残余電力としてステップ１０３０Ａで使用する。
【０１３６】
さらに、本実施形態では、車両用空調装置は、プレ空調時に車両の窓曇りを除去する防曇モードを有している。この防曇モードは、ユーザーが操作パネル５１に設けられた所定の操作部を操作したり、予めプログラミングによりモード設定されていたりすることにより、設定することができる。防曇モードは、デフォッガを作動したり、吹出しモードをデフロスタモードに設定したりすることにより、フロンドウィンドウ等の窓を暖めて曇りを除去することができる。
【０１３７】
図１３は、図７のステップ１０における圧縮機回転数等の決定を行うステップの一部を説明するフローチャートである。なお、このステップの一部とは、冷房サイクル運転時及び暖房サイクル運転時の圧縮機回転数の決定のステップを示したものということである。その他のサイクルにおける圧縮機回転数の決定は、周知の方法を採用するものとし、ここでは説明を省略する。
【０１３８】
本実施形態における制御の処理フローは、第１実施形態で図９にしたがって説明した空調制御の処理フローに対して、ステップ１０２０のプレ空調判定処理でプレ空調であると判定された後に、図１３のステップ１０２１，１０２２，１０２３の各処理を実行する点が異なっている。その他のステップは第１実施形態と同様である。なお、その他の各構成部品及びこれらの作動、他の制御処理手順については、第１実施形態と同様である。
【０１３９】
図１３に示すように、エアコンＥＣＵ５０は、第１実施形態で説明したステップ１０２０でプレ空調であると判定されると、次にステップ１０２１で防曇モードが設定されているか否かを判定する。
【０１４０】
ステップ１０２１の判定処理において、防曇モードが設定されていると判定されると、ユーザーによって窓の防曇が優先されていることになり、デフォッガに通電して作動する処理（ステップ１０２２）、吹出しモードをデフロスタモードに設定する処理（ステップ１０２３）を順に実行し、ステップ１０３０Ａに進む。ステップ１０２１の判定処理において、防曇モードが非設定であると判定されると、ユーザーによって窓の防曇よりも空調が優先されていることになり、防曇モードを実施しないでステップ１０３０Ａに進む。
【０１４１】
次にステップ１０３０Ａで、上記の使用許可電力から圧縮機２の消費電力及びデフォッガの消費電力を差し引いたとき値に応じて圧縮機回転数の変化量ΔｆＰre[rpm]を算出する。このように、ステップ１０３０Ａでは、圧縮機回転数の変化量ΔｆＰreは、第１実施形態のステップ１０３０の残余電力に対してさらにデフォッガの消費電力を差し引いた値である第２の残余電力に対応する関数である。ΔｆＰreの算出は、図１３のステップ１０３０Ａに図示するマップを用いて算出される。第２の残余電力とΔｆＰreは比例関係にあり、この第２の残余電力の値が小さいほど、ΔｆＰreは小さくなり、第２の残余電力が所定値以下の場合はΔｆＰreがマイナス値になるため、圧縮機２の回転数が前回よりも低減するように制御されることになる。すなわち、第２の残余電力が所定値以下になると、ΔｆＰreがマイナス値になり、圧縮機の回転数は下がるように制御されることになる。本実施形態において当該所定値は、２００〜３００Ｗの範囲に設定されている。
【０１４２】
なお、ステップ１０３０Ａに図示するマップは予めＲＯＭに記憶されており、このマップから算出されたΔｆＰreはＲＡＭに書き込まれる。
【０１４３】
その他の処理は、第１実施形態または第３実施形態と同様であり、最終的にステップ１０６０で「今回の圧縮機回転数」が算出される。以上のように、プレ空調時であって防曇モードが設定されている場合は、デフォッガの消費電力を考慮に入れた圧縮機回転数の変化量ΔｆＰreが決定され、これを加味した圧縮機２の回転数が算出されることになる。
【０１４４】
本実施形態の車両用空調装置１００がもたらす効果を以下に述べる。車両用空調装置１００は、プレ空調時に車両の窓曇りを除去する防曇モードを有する。エアコンＥＣＵ５０は、防曇モードが設定されたプレ空調時には、防曇モードを実施するものである。
【０１４５】
これによれば、上記の各実施形態で記載した作用効果に加え、防曇モードを設定することによってプレ空調時に防曇モードが実施されるため、ユーザーがプレ空調実施時の状況に応じて、窓曇り除去を優先するか、空調を優先するかを設定可能であり、使用許可電力の範囲内で、ユーザーの要求に対応可能な車両用空調装置を提供できる。
【０１４６】
例えば、厚着のまま乗車する等、暖房感を優先しないユーザーは、防曇モードを優先的に選択することにより、乗車前空調時に、デフロスタモードを実施したり、デフォッガを作動させたりすることによって、限られた使用電力内で空調を制御するとともに、車両発進までの時間を短縮することができる。この短縮効果によれば、空調の早期立ち上げにも貢献できる。
【０１４７】
また、プレ空調においては、圧縮機２の回転数変化量は、デフォッガの消費電力を加味した第２の残余電力に応じて決定されるため、当該使用許可電力に対して同じパラメータである圧縮機２の消費電力の占める割合を監視しつつ、正確な圧縮機２の回転数制御を実施することができる。これにより、防曇モードを実施する場合であっても、当該使用許可電力の範囲内で電力利用が図れる適切な圧縮機２の制御を実現できる。
【０１４８】
さらに、圧縮機２の回転数変化量は、当該第２の残余電力が大きいほど圧縮機２の回転数を増加するように決定するため、防曇モードを実施する場合であっても、当該使用許可電力を十分に活用することができ、プレ空調運転を早期に立ち上げ、ユーザーにとって有用なプレ空調を実施できる。
【０１４９】
さらに、圧縮機２の回転数変化量は、該第２の残余電力が小さいほど圧縮機２の回転数を減少させるように決定するため、防曇モードを実施する場合であっても、当該使用許可電力の残余分が小さいときには、圧縮機２の回転数が抑えられて、当該使用許可電力に対する消費電力のオーバーシュートや電力応答遅れによる消費電力のオーバーシュートを抑制することができる。
【０１５０】
（第４実施形態）
第４実施形態では、第１実施形態に対して、空調制御メインルーチンにおける圧縮機回転数決定の変形例を図１４にしたがって説明する。このステップにおいても、第１実施形態と同様に、上記使用許可電力と圧縮機２の消費電力との差（第１の残余電力）に基づいて、圧縮機回転数の増減量（回転数変化量）を決定すると共に、冷房サイクル運転時及び暖房サイクル運転時のそれぞれに対応する圧縮機２の回転数を決定する。ただし、後述するステップ１０２６でデフォッガが作動された場合は、第３実施形態と同様に、第１の残余電力からさらにデフォッガの消費電力を差し引いた値を第２の残余電力としてステップ１０３０Ａで使用する。
【０１５１】
図１４は、図７のステップ１０における圧縮機回転数等の決定を行うステップの一部を説明するフローチャートである。なお、このステップの一部とは、冷房サイクル運転時及び暖房サイクル運転時の圧縮機回転数の決定のステップを示したものということである。その他のサイクルにおける圧縮機回転数の決定は、周知の方法を採用するものとし、ここでは説明を省略する。
【０１５２】
本実施形態における制御の処理フローは、第１実施形態で図９にしたがって説明した空調制御の処理フローに対して、ステップ１０２０の「プレ空調判定処理」でプレ空調でないと判定された後に、図１４のステップ１０２４，１０２５，１０２６，１０２７の各処理を実行する点が異なっている。その他のステップは第１実施形態と同様である。なお、その他の各構成部品及びこれらの作動、他の制御処理手順については、第１実施形態と同様である。
【０１５３】
図１４に示すように、エアコンＥＣＵ５０は、第１実施形態で説明したステップ１０２０でプレ空調でないと判定されると、つまり通常の乗車中空調時のときは、次にステップ１０２４で、プレ空調終了後の経過時間が、所定時間（ここでは１０分）以内か否かを判定する。また、ステップ１０２４は、設定室温と実際の車室内温度との差が所定温度以内であるか否かによって判定するように置き換えてもよい。
【０１５４】
ステップ１０２４の判定処理においてＮＯと判定されると、前述のステップ１０４０に進む。一方、ステップ１０２４の判定処理においてＹＥＳと判定されると、次に前述のステップ６で選択されたサイクルが冷房サイクルであるか否かを判定する（ステップ１０２５）。冷房サイクルでなく暖房サイクルである場合は、前述のステップ１０４１に進む。冷房サイクルである場合は、第３実施形態と同様に、デフォッガに通電して作動する処理（ステップ１０２６）、吹出しモードをデフロスタモードに設定する処理（ステップ１０２７）を順に実行し、第３実施形態と同様のステップ１０３０Ａに進む。その他の処理は、第１実施形態または第３実施形態と同様であり、最終的にステップ１０６０で「今回の圧縮機回転数」が算出される。
【０１５５】
以上のように、プレ空調終了後、所定時間（例えば１０分）以内に行われる冷房空調である場合は、デフォッガの消費電力を考慮に入れた圧縮機回転数の変化量ΔｆＰreが決定され、これを加味した圧縮機２の回転数が算出されることになる。
【０１５６】
本実施形態の車両用空調装置１００がもたらす効果を以下に述べる。車両用空調装置１００のエアコンＥＣＵ５０は、プレ空調終了後、所定時間以内である場合、または設定室温と車室内温度との差が所定温度以内である場合には、車両の窓曇りを除去する防曇モード（ステップ１０２６，１０２７）を実施するものである。
【０１５７】
これによれば、プレ空調終了後、あまり時間が経過していない場合や実際の室温が設定室内温度に近い場合には、プレ空調による空調効果がまだ保たれているとみなして、窓曇り除去を優先する防曇モードを実施することにより、当該使用許可電力の範囲内で電力利用が図れる上記の各実施形態の作用効果に加え、窓曇り除去を積極的に実施して車両発進までの時間を短縮することができる。
【０１５８】
例えば、乗車前空調終了後、デフロスタモードを実施したり、デフォッガを作動させたりすることによって、限られた使用電力内で空調を制御するとともに、暖房感の確保及び車両発進までの時間の短縮化を提供できる。この短縮効果によれば、空調の早期立ち上げにも貢献できる。
【０１５９】
また、本制御によれば、当該使用許可電力の範囲内で電力利用が図れる上記の各実施形態の作用効果と車両発進までの時間短縮化の両方を得ることができる。
【０１６０】
（他の実施形態）
以上、本発明の好ましい実施形態について説明したが、本発明は上述した実施形態に何ら制限されることなく、本発明の主旨を逸脱しない範囲において種々変形して実施することが可能である。
【０１６１】
上記の各実施形態は、冷房サイクル運転及び暖房サイクル運転の両方を実施可能なヒートポンプサイクル１を用いた車室内空調であるが、本願の発明は、このようなサイクルにおいてのみ適用されるものではない。例えば、冷房サイクルを実施可能であるが暖房サイクルを実施できないサイクルにおいて適用してもよい。
【０１６２】
上記の、第１実施形態、第２実施形態及び第３実施形態の各実施形態は、少なくとも二つの実施形態を組み合わせて実施することが可能である。このように複数の実施形態を組み合わす場合には、いずれかの実施形態によって求められた圧縮機２の出力量（回転数）を採用するものである。
【０１６３】
また、上記の第４実施形態は、第１実施形態及び第２実施形態の少なくともいずれか一方と組み合わせて実施することが可能である。このように複数の実施形態を組み合わす場合には、いずれかの実施形態によって求められた圧縮機２の出力量（回転数）を採用するものである。
【０１６４】
また、第３実施形態の防曇モードで作動される窓曇り除去のための機器は、デフォッガ及びデフロスタモードで作動する機器に限定されるものではない。窓曇り除去が可能な機器であれば、他の形態であってもよい。
【０１６５】
また、上記実施形態において電気式補助熱源としてＰＴＣヒータ２４を採用しているが、これに限定するものではない。電気式補助熱源は、通電されることにより、発熱体等から発熱して周囲の空気や物体を加熱できれば他の装置でもよい。
【０１６６】
また、上記実施形態では、ＰＴＣヒータ２４を凝縮器３よりも送風空気の下流側に配置しているが、凝縮器３よりも送風空気の上流側に配置するようにしてもよい。
【符号の説明】
【０１６７】
１…ヒートポンプサイクル（サイクル）
２…圧縮機
３…凝縮器（加熱用熱交換器）
８…蒸発器（冷却用熱交換器）
５０…エアコンＥＣＵ（制御装置）
【図１】
2011037428.tif 000003
【図２】
2011037428.tif 000004
【図３】
2011037428.tif 000005
【図４】
2011037428.tif 000006
【図５】
2011037428.tif 000007
【図６】
2011037428.tif 000008
【図７】
2011037428.tif 000009
【図８】
2011037428.tif 000010
【図９】
2011037428.tif 000011
【図１０】
2011037428.tif 000012
【図１１】
2011037428.tif 000013
【図１２】
2011037428.tif 000014
【図１３】
2011037428.tif 000015
【図１４】
2011037428.tif 000016